(57)【要約】      （修正有）【課題】回転中に安定性を保ってバランスが取れ、組み立て時の効率及び使用時の安全性が向上された、組み立てが容易なモータ回転子を提供する。【解決手段】主に溝が形成された回転子台１０の周りに、所定の間隔を有するように順次に配置された複数の固定挿入溝を設け、それらの固定挿入溝には、複数の磁石６０を有する磁石セットが軸方向に沿って挿入され、回転子台１０の上部には、回転子台１０内の磁石セットを安定な結合状態にするための上部蓋２０が設置され、上部蓋２０と、回転子台１０の底部における軸心部位には、軸棒３０を挿入するための、内部に連通する開口がそれぞれ形成されている。固定子に挿設された回転子台１０に連動して軸心にある軸棒３０が回転する際には、複数の固定挿入溝によって各磁石６０は回転中に安定性を保ち、また、所定の間隔に配置することにより、該磁石セットはバランスを取ることができる。【選択図】図１
0003193374.tif 000002
【実用新案登録請求の範囲】
【請求項１】
上方に開口し且つ軸心を有する回転子台と、
複数の磁石から構成された磁石セットと、
該回転子台の上部に設置された上部蓋と
を備え、
該回転子台の底部における該軸心部位には、回転子台の内部に連通する開口が形成され、該開口は、軸棒を挿設するためのものであり、
該回転子台の周りには、所定の間隔を有するように順次に配置されている複数の固定挿入溝が設けられ、
該複数の磁石は、軸方向に沿って該複数の固定挿入溝にそれぞれ挿入され、
該上部蓋の外周縁部は、該各磁石の上部に当接し、該上部蓋の中央部には、該回転子台の内部に連通すると共に、該回転子台の底部の開口に対応する他方の開口が形成されている、組み立てが容易なモータ回転子。
【請求項２】
該回転子台は、複数の珪素鋼板を収容するための収容空間を内部に有し、
該珪素鋼板は環状のものであり、該軸心に位置する軸孔を有し、
該珪素鋼板の外周の形状は、該回転子台の内壁の形状に対応し、
該磁石の形状及び大きさは該固定挿入溝に対応している、請求項１に記載の組み立てが容易なモータ回転子。
【請求項３】
該回転子台の底部及びそれら固定挿入溝の底部の間には、環状の支持部が形成され、該磁石の底部の内側縁部は該支持部によって支持されている、請求項１又は２に記載の組み立てが容易なモータ回転子。
【請求項４】
該固定挿入溝は、軸方向と平行であって互いに対向する２つの溝壁部を有し、それらの溝壁部の両側には、径方向に伸びる外側係止壁部及び内側係止壁部がそれぞれ形成され、それらの外側係止壁部が該磁石の径方向壁面の外側縁部を覆い、それらの内側係止壁部が該磁石の径方向壁面の内側縁部を覆っている、請求項１又は２に記載の組み立てが容易なモータ回転子。
【請求項５】
該固定挿入溝は、軸方向と平行であって互いに対向する２つの溝壁部を有し、それらの溝壁部の両側には、径方向に伸びる外側係止壁部及び内側係止壁部がそれぞれ形成され、それらの外側係止壁部が該磁石の径方向壁面の外側縁部を覆い、それらの内側係止壁部が該磁石の径方向壁面の内側縁部を覆っている、請求項３に記載の組み立てが容易なモータ回転子。
【請求項６】
該磁石の上下両端が上部蓋の外周縁部と該回転子台の底部における支持部とによって挟まれて固定されている、請求項４に記載の組み立てが容易なモータ回転子。
【請求項７】
該磁石の上下両端が上部蓋の外周縁部と該回転子台の底部における支持部とによって挟まれて固定されている、請求項５に記載の組み立てが容易なモータ回転子。
【請求項８】
該珪素鋼板には、複数の貫通孔が形成され、
該上部蓋の内側面には、下方へ突出する複数の突起柱部が形成され、
該回転子台の底部の内側面には、上方に突出する複数の突起柱部が形成され、
該珪素鋼板に形成された各貫通孔の位置は、該上部蓋と該回転子台の底部とに形成された各突起柱部にそれぞれ対応する、請求項６に記載の組み立てが容易なモータ回転子。
【請求項９】
該珪素鋼板には、複数の貫通孔が形成され、
該上部蓋の内側面には、下方へ突出する複数の突起柱部が形成され、
該回転子台の底部の内側面には、上方に突出する複数の突起柱部が形成され、
該珪素鋼板に形成された各貫通孔の位置は、該上部蓋と該回転子台の底部とに形成された各突起柱部にそれぞれ対応する、請求項７に記載の組み立てが容易なモータ回転子。
【考案の詳細な説明】
【技術分野】
【０００１】
本考案はモータ回転子に関し、特に組み立てが容易なモータ回転子に関する。
【背景技術】
【０００２】
従来より、様々な電気製品にモータが使用され、モータによって電気エネルギーを機械エネルギーに変換して機械を回転運動、振動又は直線運動するように駆動する。従来のモータは、回転可能な回転子と、動かないように固定される固定子とを有し、周りの磁場を提供する構成を有する。該回転子と該固定子との間には、回転子が自由に回転できるための隙間が存在する。
【０００３】
図６に示すように、従来のモータ回転子は、主に回転子９０と、軸棒９１と、複数の磁石９２とによって構成される。該回転子９０は軸心を有し、該軸心には該軸棒９１が設けられる。該回転子９０の外側には、複数の磁石９２が設けられ、それらの磁石９２は、該回転子９０の外周に沿って配置されている。互いに隣接する磁石９２同士は、その間に介在する粘着性を有する粘着層９３によって接着され、粘着層９３は、磁石を粘着するための、例えばアクリル酸エステルなどの接着剤からなるものである。複数の磁石９２を該回転子９０に安定的に固定するために該粘着層９３が用いられるが、接着する工程において接着剤が均一でないことがしばしば発生するため、該複数の磁石９２が所定の位置に確実に固定されず、複数の磁石９２の重量配置のバランスが崩れてしまう。これに起因してモータ回転子の重心が軸心からずれ、回転時にバランスが取れなくなるため、回転子９０の上部又は底部に重り９４を更に設置し、複数の磁石９２の重量配置のバランスが取れるように、該重り９４の重さによって補正する必要があった。
【考案の概要】
【考案が解決しようとする課題】
【０００４】
上述したように、該回転子９０に該重り９４を増設することで、接着剤の不均一に起因して複数の磁石９２の重量が取れなくなる点を補正することができるが、生産工程中に重り９４を増設することは効率上好ましくない上に、正確性がまだ低く、モータが長時間に稼働する電気製品では、モータ回転子の回転時に、依然として重心が回転軸からずれてバランスが取れない問題が存在し、長時間の使用に危険が伴う。また、大量に生産して組み立てる場合では、粘着加工によって生産にかかる時間とコストが増えてしまう。このように、上記従来技術は改良の余地がある。
【０００５】
上記従来技術の課題に鑑みて、本考案は、回転中に安定性を保ってバランスを取ることができ、組み立て時の効率及び使用時の安全性が向上された、組み立てが容易なモータ回転子を提供する。
【課題を解決するための手段】
【０００６】
上記目的を達成するために、前記組み立てが容易なモータ回転子は、
上方に開口し且つ軸心を有する回転子台と、
複数の磁石から構成された磁石セットと、
該回転子台の上部に設置された上部蓋と
を備え、
該回転子台の底部における該軸心部位には、回転子台の内部に連通する開口が形成され、該開口は、軸棒を挿設するためのものであり、
該回転子台の周りには、所定の間隔を有するように順次に配置されている複数の固定挿入溝が設けられ、
該複数の磁石は、軸方向に沿って該複数の固定挿入溝にそれぞれ挿入され、
該上部蓋の外周縁部は、該各磁石の上部に当接し、該上部蓋の中央部には、該回転子台の内部に連通すると共に、該回転子台の底部の開口に対応する他方の開口が形成されている。
【考案の効果】
【０００７】
上記構成によれば、本考案のモータ回転子の回転子台が該軸心を中心として回転する際、回転子台の周りに設けられた複数の固定挿入溝が所定の間隔を有するように配置されているため、回転子台は回転時にバランスを取ることができる。また、それらの固定挿入溝にそれらの磁石が軸方向に沿ってそれぞれ挿入されていることで、該回転子座に装着された該磁石セットは安定的な結合状態となる。さらに、該回転子台の上部に該上部蓋が設けられることで、それらの磁石セットは回転中に固定挿入溝内に嵌合配置されて容易に抜け落ちない。このようにして、モータ回転子の組み立てが容易となる。
【図面の簡単な説明】
【０００８】
【図１】本考案の好ましい実施形態の外観斜視図である。
【図２】本考案の好ましい実施形態の分解斜視図である。
【図３】本考案の好ましい実施形態の他の分解斜視図である。
【図４】本考案の好ましい実施形態の断面図である。
【図５】本考案の好ましい実施形態の他の断面図である。
【図６】従来のモータ回転子の外観斜視図である。
【考案を実施するための形態】
【０００９】
図１に示すように、本考案の好ましい実施形態に係る組み立てが容易なモータ回転子は、回転子台１０と、磁石セットと、上部蓋２０とを有する。本実施形態において、モータ回転子は軸棒３０を更に有する。該回転子台１０は、軸心を有し、該軸棒３０は該軸心に設けられる。該磁石セットは該回転子台１０の周りに環装され、該上部蓋２０が磁石セットの上部に当接することにより、該磁石セットは回転子台１０に固定されている。本考案の使用時では、該回転子台１０は環状の固定子４０の内部に挿設されている。回転子台１０の回転に連れて磁石セットが回転する際に、回転子台１０が固定子と摩擦しないように、該固定子４０の内側と該磁石セットとの間に隙間が形成されている。
【００１０】
図２及び図３に示すように、該回転子台１０は上方に開口する環状のものである。該回転子台１０の底部における該軸心部位には、回転子台１０の内部に連通する開口１１が形成されている。該回転子台１０の周りには、複数の固定挿入溝１２が設けられている。それらの固定挿入溝１２は、所定の間隔を有するように順次に配置されている。本実施形態において、該回転子台１０は、複数の珪素鋼板５０を収容するための収容空間を内部に有している。該珪素鋼板５０も環状のものであり、該軸心に位置し且つ回転子台１０の底部の開口１１に対応する、前記軸棒３０を挿設するための軸孔５１を有する。該珪素鋼板５０の外周の形状は、該回転子台１０の複数の固定挿入溝１２の内壁の形状に対応する。なお、該珪素鋼板５０は、モータに常用される磁性材料である。
【００１１】
前記磁石セットは複数の磁石６０から構成され、それらの磁石６０は軸方向に沿ってそれらの固定挿入溝１２にそれぞれ挿入されている。該上部蓋２０は該回転子台１０の上部に設置され、該上部蓋２０の中央部には、該回転子台１０の内部に連通すると共に、該回転子台１０の底部の開口１１及び該珪素鋼板５０の軸孔５１に対応する他方の開口２１が形成されている。また、該上部蓋２０の内側面には、下方へ突出する複数の突起柱部２２が形成され、該珪素鋼板５０には、位置がそれらの突起柱部２２にそれぞれ対応する複数の貫通孔５２が形成されている。それらの貫通孔５２にそれらの突起柱部２２が挿設されることで珪素鋼板５０が固定されている。該回転子台１０の底部の内側面には、上方に突出する複数の突起柱部１３が形成され、それらの突起柱部１３の位置は、該珪素鋼板５０のそれらの貫通孔５２にそれぞれ対応する。該回転子台１０の収容空間内に複数の珪素鋼板５０が設置されている場合には、該上部蓋２０の突起柱部２２と該回転子台１０の底部の突起柱部１３とにより、珪素鋼板５０を該回転子台１０の収容空間内により強固に固定することができる。
【００１２】
本実施形態において、該磁石６０の形状及び大きさは該固定挿入溝１２に対応している。該固定挿入溝１２は、軸方向と平行であって互いに対向する２つの溝壁部１２１を有し、それらの溝壁部１２１の両側には、径方向に伸びる外側係止壁部１２２及び内側係止壁部１２３がそれぞれ形成されている。該磁石６０が該固定挿入溝１２内に挿入された際、該磁石６０の径方向壁面がそれらの溝壁部１２１とそれぞれ接触すると共に、それらの外側係止壁部１２２が該磁石６０の径方向壁面の外側縁部を覆い、それらの内側係止壁部１２３が該磁石６０の径方向壁面の内側縁部を覆っている。これにより、該回転子座１０に装着された該磁石セットは安定的な結合状態となる。
【００１３】
本考案の好ましい実施形態における磁石セットと回転子台１０との組み立て方法を図３及び図４を参照して更に詳しく説明する。該回転子台１０の底部及びそれら固定挿入溝１２の底部の間には、環状の支持部１２４が形成されている。該磁石６０が軸方向に沿って該固定挿入溝１２内に挿入された際、該磁石６０の底部の内側縁部は該支持部１２４によって支持されている。図５に示すように、該上部蓋２０を該回転子台１０の上部に結合させると、該上部蓋２０の外周縁部は該磁石６０の上部に当接する。このように、該磁石６０の上下両端が上部蓋２０の外周縁部と該回転子台１０の底部における支持部１２４によって挟まれて固定されていると共に、該磁石６０の径方向壁面が該固定挿入溝１２の２つの溝壁部１２１に当接し、且つ該磁石６０の径方向壁面の外側縁部がそれら外側係止壁部１２２及び内側係止壁部１２３のそれぞれによって挟持されている。
【００１４】
このため、回転子台１０が固定子４０内に挿設されて軸心を中心として回転する際、回転子台１０の周りに設けられた複数の固定挿入溝１２により、各磁石６０は回転中に安定性を保つことができる。また、それらの固定挿入溝１２は所定の間隔を有するように順次に配置されているため、回転子台２０は回転時にバランスを取ることができる。このようにして、モータ回転子の組み立てが容易となると共に、使用上の安全性が向上する。
【符号の説明】
【００１５】
１０  回転子台
１１  開口
１２  固定挿入溝
１２１  溝壁
１２２  外側係止壁部
１２３  内側係止壁部
１２４  支持部
１３  突起柱部
２０  上部蓋
２１  開口
２２  突起柱部
３０  軸棒
４０  固定子
５０  珪素鋼板
５１  軸孔
５２  貫通孔
６０  磁石
９０  回転子
９１  軸棒
９２  磁石
９３  粘着層
９４  重り
【図１】
0003193374.tif 000003
【図２】
0003193374.tif 000004
【図３】
0003193374.tif 000005
【図４】
0003193374.tif 000006
【図５】
0003193374.tif 000007
【図６】
0003193374.tif 000008